(57)【要約】【課題】  施工に際し、土中に埋設させるのではなく、地上に置くだけで広範囲に敷設でき、又、防除対象となるシロアリ等の不快害虫を寄せ付けない防虫技術とは異なり、近寄って来たシロアリを殺虫性薬剤に触れさせたり、殺虫性薬剤を食させたりすることで防除させ、また、殺虫性薬剤の使用量を節減することで、コスト的に有利で、環境にも人的にも好ましく使用できる害虫防除材料の提供。【解決手段】  地上に敷設させる長尺基材１に、不快害虫に対して非忌避作用を有する殺虫性薬剤４を含んだ薬剤含有領域２と、前記薬剤殺虫性薬剤を含まない無薬剤領域３とが長さ方向に交互に配置されている。【選択図】  図１
2007319071.tif 000002
【特許請求の範囲】
【請求項１】
地上に敷設させる長尺基材に、不快害虫に対して非忌避作用を有する殺虫性薬剤を含んだ薬剤含有領域と、前記薬剤殺虫性薬剤を含まない無薬剤領域とが長さ方向に非連続的に配置されていることを特徴とする害虫防除材料。
【請求項２】
前記無薬剤領域に、不快害虫を薬剤含有領域に誘導するためのガイドが設けられている請求項１記載の害虫防除材料。
【発明の詳細な説明】
【技術分野】
【０００１】
本発明は、徘徊性の不快害虫、主にシロアリが家屋に侵入するのを防除するために用いる害虫防除材料に関する。
【背景技術】
【０００２】
従来、非忌避作用を有する殺蟻性薬剤を用いたシロアリ防除技術が知られている（特許文献１参照）。
このシロアリ防除技術は非忌避作用を有する殺蟻性薬剤を餌基材に含浸させ、その餌基材をシロアリが容易に食害できる容器に収容し、これを土中に埋設させるようにしたものである。
従って、シロアリが容器を食い破って餌基材を食すると、殺蟻性薬剤により防除することができる。
【０００３】
しかしながら、シロアリはその習性から移動経路を特定することができないため、このような容器を用いた従来技術では局部的にしか効果がなく、このため多数の容器を土中に埋設させる必要があり、その施工に手間と時間がかかるという問題があった。
【特許文献１】特開２００４−１３７１５０号公報
【発明の開示】
【発明が解決しようとする課題】
【０００４】
本発明は、その施工に際し、土中に埋設させるのではなく、地上に置くだけで広範囲に敷設でき、又、防除対象となるシロアリ等の不快害虫を寄せ付けない防虫技術とは異なり、近寄って来たシロアリを殺虫性薬剤に触れさせたり、殺虫性薬剤を食させたりすることで防除させ、また、殺虫性薬剤の使用量を節減することで、コスト的に有利で、環境にも人的にも好ましく使用できる害虫防除材料を提供することを課題としている。
【課題を解決するための手段】
【０００５】
上記の課題を解決するために、本発明（請求項１）の害虫防除材料は、
地上に敷設させる長尺基材に、不快害虫に対して非忌避作用を有する殺虫性薬剤を含んだ薬剤含有領域と、前記薬剤殺虫性薬剤を含まない無薬剤領域とが長さ方向に非連続的に配置されている構成とした。
【０００６】
又、本発明（請求項２）の害虫防除材料は、
請求項１記載の害虫防除材料において、前記無薬剤領域に、不快害虫を薬剤含有領域に誘導するためのガイドが設けられている構成とした。
【発明の効果】
【０００７】
本発明（請求項１）の害虫防除材料は、施工に際し、長尺基材を地上に置いていくだけで広範囲に敷設することができ、その施工を簡単かつ短時間で行なうことができる。
また、不快害虫に対して非忌避作用を有する殺虫性薬剤を用いているので、徘徊性の不快害虫を近寄らせて、この殺虫性薬剤に触れさせたり、殺虫性薬剤を食させたりすることによる防除を行なうことができる。
又、薬剤含有領域と、無薬剤領域とが長尺基材に長さ方向に非連続的に配置されているため、長尺基材の全長に亘って殺虫性薬剤を一連に連続させて配設したものに比べ、殺虫性薬剤の使用量を節減することができ、コスト的に有利になるばかりでなく、環境にも人的にも好ましく使用できる。
【０００８】
なお、不快害虫が前記無薬剤領域だけを通過すると、この害虫防除材料を単に素通りするだけで殺虫性薬剤による防除ができないことになるが、このような場合、無薬剤領域に不快害虫を薬剤含有領域に誘導するためのガイドを設けると（請求項２）、不快害虫の素通りを防止して確実に防除することができる。
【発明を実施するための最良の形態】
【０００９】
図１は本発明の害虫防除材料の第１実施例を示す斜視図である。
この実施例は、徘徊性の不快害虫であるシロアリを主な防除対象とした例である。
【００１０】
実施例の害虫防除材料Ａは、長尺基材に、不快害虫に対して非忌避作用を有する殺虫性薬剤を含んだ薬剤含有領域２と、前記殺虫性薬剤を含まない無薬剤領域３とが長さ方向に交互（非連続的）に配置されたものである。
【００１１】
前記長尺基材としてシロアリが好むセルロース系材料で作られた帯状不織布１を用い、この帯状不織布１に一定間隔ごとに袋部１０を形成している。
そして、前記各袋部１０にシロアリに対して非忌避作用を有する粒状の殺虫性薬剤４を収容させることにより殺虫性薬剤４が含まれた薬剤含有領域２を形成させている。
これにより殺虫性薬剤４を収容した（含んだ）薬剤含有領域２と、殺虫性薬剤４を収容させない（含まれない）無薬剤領域３とを、前記帯状不織布１に長さ方向に交互に配置させたものになっている。
【００１２】
本実施例では、非連続的の例として、薬剤含有領域２と無薬剤領域３とを交互に配置した場合を示したが、例えば、配設順序を、薬剤含有領域２、薬剤含有領域２、無薬剤領域３、薬剤含有領域２、無薬剤領域３、無薬剤領域３、薬剤含有領域２というように、薬剤含有領域２と無薬剤領域３をランダムに配設する場合も本発明で言う非連続的に含めるものとする。
【００１３】
なお、袋部１０に殺虫性薬剤を収容する場合、粒状体のまま充填させてもよいし、粒状体を小袋に包み、この小袋を袋部１０に収容させてもよい。
また、袋部１０に開口部を形成し、状況に応じて開口部を通して殺虫性薬剤を新しい薬剤に入れ替えたり、種類が異なる薬剤に変更させたり、詰め替え可能にすることができる。
【００１４】
又、前記無薬剤領域３の上面にシロアリを薬剤含有領域２に誘導するためのガイドである突条１１が形成されている。
なお、ガイドである突条１１を、無薬剤領域３の上面又は／及び下面に形成してもよい。
【００１５】
図２は本発明の害虫防除材料の第２実施例を示す斜視図である。
この害虫防除材料Ｂは、長尺基材としてシロアリが好む木材６を用い、この木材６に液体の殺虫性薬剤４を含浸させた薬剤含有領域（図中、平行斜線で示す）２と、殺虫性薬剤４を含浸させない無薬剤領域３を、木材６の長さ方向に交互（非連続的）に配設させたものになっている。
【００１６】
又、前記無薬剤領域３の上面にシロアリを薬剤含有領域２に誘導するためのガイドとなる凹溝６１が形成されている。
この場合、凹溝６１を木材６の上面に木材全長に亘って形成させることにより、シロアリを木材６の長さ方向に沿って誘導させ、できるだけ多く殺虫性薬剤４に触れさせて防除効果を高めるようにさせている。
なお、前記凹溝６１の代わりに突状をガイドとして形成してもよい。
【００１７】
本発明の害虫防除材料は、家屋の基礎立ち上がり部分や束石周りなど、地上（コンクリート面や地面）に敷設して使用するもので、その施工に際し、床下等の施工しにくい場所であっても、害虫防除材料を置いていくだけの簡単な作業で施工することができるし、撤去する場合の回収も容易にできる。
又、害虫防除材料は、施工場所に応じて必要な長さに切断して使用でき、あらゆる家屋に対応することができる。
【００１８】
また、不快害虫に対して非忌避作用を有する殺虫性薬剤を用いているので、不快害虫が逃げることがなく近寄り、この殺虫性薬剤に触れさせたり、殺虫性薬剤を食させたりすることによる防除を行なうことができる。
【００１９】
特に、薬剤含有領域と、無薬剤領域とが長尺基材に長さ方向に交互に配置されているため、殺虫性薬剤の使用量を節減することができ、コスト的に有利になるばかりでなく、環境にも人的にも好ましく使用できる。
【００２０】
又、無薬剤領域にガイドを設けているため、不快害虫が無薬剤領域を通って害虫防除材料を単に素通りするのを防止でき、薬剤含有領域に誘導させて確実に防除することができる。
【００２１】
なお、本発明の害虫防除材料を敷設させたのち、その上から水をかけることで、殺虫性薬剤を長尺材料に染み込ませて殺虫性薬剤を不快害虫に触れ易くさせることができるし、殺虫性薬剤を無薬剤領域にまで染み出させて薬剤含有領域を拡大させることもできる。
【００２２】
前記長尺基材の材料としては、セルロース系材料（不織布、布、紙、ろ紙、ダンボール紙、ペーパータオル、再生紙等）、木材や木質材（あかまつ、クロマツ、オーク、バルサ、合板、ファイバーボード、集成材等）、セルロースエーテル等（メチルセルロース、オキシプロピルメチルセルロース等）、生分解性プラスチック等を用いることができる。
【００２３】
長尺基材の長さは、その長さ方向に薬剤含有領域と無薬剤領域を交互に配設させることができる長さであれば特に限定されないし、その材質によっても適宜に設定できる。
例えば、柔軟な布や紙等の場合は、数メートルの長さに形成して巻き取ったり、折り畳んだりして、持ち運びや保管を容易にさせ、使用に際してはこれを必要な長さに切断して使用するようにしてもよい。
又、硬質の木材等の場合には、１メートル程度の定尺に形成して、これを継ぎ足しながら使用するようにしてもよい。
【００２４】
非忌避作用を有する殺虫性薬剤としては、ネオニコチノイド系（イミダクロプリド、アセタミプリド、ニテンピラム、クロチアニジンなど）、オキサダイアジン系（インドキサカルブなど）、クロロフェナピル、フェニルピラゾール系（フィプロニルなど）、フェニルピロール系などが挙げられ、これらを単独又は２種以上を組み合わせて使用できる。
又、殺虫性薬剤は、粒体、粉体、液体、ゲル状体、クリーム状体等を使用できるし、液体を高分子吸収材に吸水させて使用することもできる。
【００２５】
本発明の害虫防除材料は徘徊性の不快害虫のうちシロアリを主な防除対象とするが、このほか、ムカデやヤスデ等を防除対象にできるもので、この際には、昆虫成長調節剤、食毒剤（ピリプロキシフェン、フェノキシカルブ、ヒドラメチルノン、ジフルベンズロン、クロルフルアズロン、ヘキサフルムロン、トリフルムロン、スルフルラミド）、ホウ素系化合物を、単独又は２種以上を組み合わせたものを殺虫性薬剤として使用できるし、前述の非忌避性殺虫剤と混合して使用することができる。
【図面の簡単な説明】
【００２６】
【図１】本発明の害虫防除材料の第１実施例を示す斜視図である。
【図２】本発明の害虫防除材料の第２実施例を示す斜視図である。
【符号の説明】
【００２７】
１  帯状不織布（長尺材料）
１０  袋部
１１  突条（ガイド）
２  薬剤含有領域
３  無薬剤領域
４  殺虫性薬剤
６  木材（長尺材料）
６１  凹溝（ガイド）
Ａ  害虫防除材料
Ｂ  害虫防除材料
【図１】
2007319071.tif 000003
【図２】
2007319071.tif 000004
【手続補正書】
【提出日】平成18年6月8日(2006.6.8)
【手続補正１】
【補正対象書類名】明細書
【補正対象項目名】００１６
【補正方法】変更
【補正の内容】
【００１６】
又、前記無薬剤領域３の上面にシロアリを薬剤含有領域２に誘導するためのガイドとなる凹溝６１が形成されている。
この場合、凹溝６１を木材６の上面に木材全長に亘って形成させることにより、シロアリを木材６の長さ方向に沿って誘導させ、できるだけ多く殺虫性薬剤４に触れさせて防除効果を高めるようにさせている。
なお、前記凹溝６１の代わりに突条をガイドとして形成してもよい。